(57)【特許請求の範囲】
【請求項１】
電源の供給を必要としかつ所定信号を出力する第１装置と、前記電源の供給を必要としない第２装置とが選択的に装着されるコネクタを備える電子装置であって、
前記コネクタを通して前記電源を出力する電源出力手段、
前記第１装置を使用する第１モードを選択するための第１キー操作を受け付ける第１受付手段、
前記第１キー操作が前記第１受付手段によって受け付けられたとき前記電源出力手段を能動化する能動化手段、
前記電源出力手段が能動化された後に前記コネクタを通して前記所定信号が入力されたか否かを判別する判別手段、
前記判別手段の判別結果が否定的であるとき前記電源出力手段を不能化する第１不能化手段、
前記第２装置を使用する第２モードを選択するための第２キー操作を受け付ける第２受付手段、および
前記第２キー操作が前記第２受付手段によって受け付けられたとき前記電源出力手段を不能化する第２不能化手段をさらに備える、電子装置。
【請求項２】
前記所定信号が入力されたとき前記第１モードに対応する処理を行なう第１モード処理手段、および
前記電源出力手段が不能化された後に前記第２モードに対応する処理を行なう第２モード処理手段をさらに備える、請求項１記載の電子装置。
【請求項３】
所定信号は前記第２装置の起動時に出力される識別信号である、請求項１または２記載の電子装置。
【請求項４】
前記第１装置は撮像装置であり、
前記第２装置はイヤフォンマイクである、請求項１ないし３のいずれかに記載の電子装置。
【請求項５】
前記コネクタは、前記撮像装置から出力された画像信号および前記イヤフォンマイクから出力された第１音声信号のいずれか一方を入力する第１端子、前記撮像装置に与えるクロック信号および前記イヤフォンマイクに与える第２音声信号のいずれか一方を出力する第２端子、および前記電源を出力する第３端子を含む、請求項４記載の電子装置。
【発明の詳細な説明】
【０００１】
【産業上の利用分野】
この発明は、電子装置に関し、特にたとえば携帯通信端末に適用され、電源の供給を必要としかつ所定信号を出力する第１装置と、電源の供給を必要としない第２装置とが選択的に装着されるコネクタを備える、電子装置に関する。
【０００２】
【従来技術】
ＮＴＴ系の携帯通信端末のイヤフォンマイク用コネクタは、いわゆる４端子コネクタであり、第１端子および第２端子は増幅器を介して音声信号のコーデックに接続され、第３端子および第４端子はそれぞれＣＰＵおよび基準電位面に接続される。
【０００３】
図２に示すＮＴＴ系のイヤフォンマイク４０がこのような４端子コネクタに装着されると、端子Ｔ１およびＴ２が第１端子および第２端子を介してコーデックに接続され、端子Ｔ３が第３端子を介してＣＰＵに接続され、そして、端子Ｔ４が第４端子を介して基準電位面に接続される。端子Ｔ３およびＴ４の間に介挿されたスイッチＳＷ２は、着信操作用のスイッチである。着信時にスイッチＳＷ２がオンされるとＣＰＵの印加電圧が変化し、ＣＰＵはこれに応答して着信処理を行なう。
【０００４】
ＫＤＤＩ系の携帯通信端末のイヤフォンマイク用コネクタ、ならびにＤＤＩポケット系の撮像装置対応携帯通信端末のイヤフォンマイク用コネクタは、ＮＴＴ系のイヤフォンマイク用コネクタと同じ形状をしている。ただし、ＫＤＤＩ系の携帯通信端末では第３端子は存在せず、ＤＤＩポケット系の撮像装置対応携帯通信端末では第３端子は撮像装置用電源出力手段に接続される。また、図３に示すように、ＫＤＤＩ系のイヤフォンマイク５０では端子Ｔ３が存在せず、ＫＤＤＩ系の携帯通信端末で実際に使用されるのは、コーデックに接続された第１端子および第２端子と、基準電位面に接続された第４端子である。なお、それぞれの携帯通信端末に共通の４端子コネクタを用いるのは、部品の共通化によるコスト削減を意図したものである。
【０００５】
【発明が解決しようとする課題】
しかし、４端子コネクタの形状が同じであれば、ＮＴＴ系のイヤフォンマイク４０がＫＤＤＩポケット系の携帯通信端末またはＤＤＩポケット系の撮像装置対応携帯通信端末に装着される可能性がある。ここで、第３端子が存在しないＫＤＤＩ系の携帯通信端末にＮＴＴ系のイヤフォンマイク４０が装着されても大きな問題は生じないが、第３端子が撮像装置用電源出力手段に接続されたＤＤＩポケット系の撮像装置対応携帯通信端末にＮＴＴ系のイヤフォンマイク４０装着されると、スイッチＳＷ２の押下によってイヤフォンマイク４０または撮像装置対応携帯通信端末が破損するおそれがある。
【０００６】
それゆえに、この発明の主たる目的は、未対応の方式の外部装置が誤って装着されたときに、装着された外部装置または自分自身が破損するのを防止できる、電子装置を提供することである。
【０００７】
【課題を解決するための手段】
この発明に従う電子装置は、電源の供給を必要としかつ所定信号を出力する第１装置と、電源の供給を必要としない第２装置とが選択的に装着されるコネクタを備える電子装置であって、コネクタを通して電源を出力する電源出力手段、第１装置を使用する第１モードを選択するための第１キー操作を受け付ける第１受付手段、第１キー操作が第１受付手段によって受け付けられたとき電源出力手段を能動化する能動化手段、電源出力手段が能動化された後にコネクタを通して所定信号が入力されたか否かを判別する判別手段、判別手段の判別結果が否定的であるとき電源出力手段を不能化する第１不能化手段、第２装置を使用する第２モードを選択するための第２キー操作を受け付ける第２受付手段、および第２キー操作が第２受付手段によって受け付けられたとき電源出力手段を不能化する第２不能化手段をさらに備える。
【０００８】
【作用】
コネクタには、第１装置および第２装置が選択的に装着される。ここで、第１装置は、電源の供給を必要としかつ所定信号を出力する装置であり、第２装置は、電源の供給を必要としない装置である。電源は、電源出力手段によってコネクタを通して出力される。
【０００９】
第１装置を使用する第１モードを選択するための第１キー操作が第１受付手段によって受け付けられると、電源出力手段が能動化手段によって能動化される。判別手段は、電源出力手段が能動化された後にコネクタを通して所定信号が入力されたか否かを判別する。判別結果が否定的であれば、電源出力手段が第１不能化手段によって不能化される。一方、第２装置を使用する第２モードを選択するための第２キー操作が第２受付手段によって受け付けられると、電源出力手段が第２不能化手段によって不能化される。
【００１０】
所定信号は第１装置から出力されるため、所定信号が入力されなければ、コネクタには何も装着されていないか、第２装置が装着されているか、あるいは全く別の外部装置が装着されているとみなすことができる。このようなとき、電源出力手段が第１不能化手段によって不能化される。
【００１１】
好ましくは、所定信号が入力されたとき、第１モード処理手段が第１モードに対応する処理を行なう。一方、第２モード処理手段は、電源出力手段が不能化された後に第２モードに対応する処理を行なう。
【００１２】
また、所定信号は、好ましくは、第２装置の起動時に出力される識別信号である。
【００１３】
さらに、第１装置は好ましくは撮像装置であり、第２装置は好ましくはイヤフォンマイクである。この場合、コネクタは、撮像装置から出力された画像信号およびイヤフォンマイクから出力された第１音声信号のいずれか一方を入力する第１端子、撮像装置に与えるクロック信号およびイヤフォンマイクに与える第２音声信号のいずれか一方を出力する第２端子、および電源を出力する第３端子を含む。
【００１４】
【発明の効果】
この発明によれば、所定信号が入力されないときに電源出力手段を不能化するようにしたため、この発明の電子装置に未対応の外部装置が装着されているときに第１モードを選択しても、外部装置あるいは電子装置の内部回路が電源電圧によって破損することはない。
【００１５】
この発明の上述の目的，その他の目的，特徴および利点は、図面を参照して行う以下の実施例の詳細な説明から一層明らかとなろう。
【００１６】
【実施例】
図１を参照して、この実施例の携帯通信端末１０は、４端子コネクタ３４を含む。この４端子コネクタ３４に図３に示すイヤフォンマイク５０が装着されると、４端子コネクタ３４の４つの端子Ｓ１，Ｓ２およびＳ４がそれぞれ、イヤフォンマイク５０の４つの端子Ｔ１，Ｔ２およびＴ４と接続される。
【００１７】
操作キー３０によって電話モードが選択されると、ＣＰＵ２４は、スイッチＳＷ１をコーデック２０側に接続するとともに、レギュレータ３２をオフする。電話モードにおいて、操作キー３０による着信操作またはダイヤル操作によって通話可能状態（オンライン状態）に移行すると、相手方の通信端末から送信されたＲＦ信号がアンテナ１２によって受信される。受信されたＲＦ信号は、ＲＦ回路１４，モデム１６，ＴＤＭＡ回路１８およびコーデック２０による所定の復調処理を経て、アナログ音声信号に変換される。コーデック２０から出力されたアナログ音声信号は、アンプ２２ｂ，スイッチＳＷ１および端子Ｓ２を経て、図３に示すイヤフォンマイク２の端子Ｔ２に与えられ、イヤフォン５２から出力される。
【００１８】
一方、図３に示すマイク５４によって音声が取り込まれると、取り込まれた音声に対応するアナログ音声信号が、イヤフォンマイク５０側の端子Ｔ１，携帯通信端末１０側の端子Ｓ１およびアンプ２２ａを経て、コーデック２０に与えられる。アナログ音声信号は、コーデック２０，ＴＤＭＡ回路１８，モデム１６およびＲＦ回路１４による変調処理を経てＲＦ信号に変換され、変換されたＲＦ信号はアンテナ１２から発信される。なお、電話モードが選択されたとき、ディスプレイ２８は、着信通知や、メモリ２６に登録された電話番号の表示に用いられる。
【００１９】
図３に示すイヤフォンマイク５０の代わりに図４に示す撮像装置６０が４端子コネクタ３４に装着されると、撮像装置６０の端子Ｔ１，Ｔ２，Ｔ３およびＴ４が、４端子コネクタ３４の端子Ｓ１，Ｓ２，Ｓ３およびＳ４にそれぞれ接続される。この状態で操作キー３０によってカメラモードが選択されると、ＣＰＵ２４は、レギュレータ３２をオンし、スイッチＳＷ１をＣＰＵ２４側に接続し、そしてクロック信号を発生する。
【００２０】
レギュレータ３２から出力された電源電圧は、携帯通信端末１０側の端子Ｓ３および撮像装置６０側の端子Ｔ３を経て、カメラ処理部６２に印加される。ＣＰＵ４２から出力されたクロック信号は、スイッチＳＷ１，携帯通信端末１０側の端子Ｓ２および撮像装置６０側の端子Ｔ２を経て、カメラ処理部６２に与えられる。
【００２１】
カメラ処理部６２は、図５に示すように構成される。携帯通信端末１０からの電源電圧は、カメラ処理部６２全体に供給される。クロック信号は、Ｉ／Ｏポート６２ｅを介してＣＰＵ６２ｄに与えられる。電源電圧によって起動したＣＰＵ６２ｂは、まず識別コード（ヘッダ）をＩ／Ｏポート６２ｅを介して出力し、続いてドライバ６２ｂにＣＭＯＳイメージャ６２ａに駆動を命令する。ドライバ６２ｂは、ＣＰＵ６２ｄから駆動命令が与えられたとき、メインクロック発生器６２ｆから発生したクロック信号に基づいてＣＭＯＳイメージャ６２ａを駆動し、被写体の画像信号（電荷）をＣＭＯＳイメージャ６２ａから読み出す。読み出された画像信号は、バッファメモリ６２ｃを介してＩ／Ｏポート６２ｅから出力される。
【００２２】
カメラ処理部６２のＩ／Ｏポート６２ｅから出力された識別コードおよび画像信号は、図４に示す端子Ｔ１および図１に示す端子Ｓ１を介して、携帯通信端末１０のＣＰＵ２４に与えられる。ＣＰＵ２４は、識別コードが入力されたとき、４端子コネクタ３４に装着された外部装置が撮像装置６０であると認識し、識別コードに続いて入力される画像信号に所定のカメラ処理を施す。この結果、被写体のリアルタイム動画像（スルー画像）がディスプレイ２８に表示される。また、操作キー３０によって撮影操作が行なわれると、その時点の静止画像がメモリ２６に保存される。
【００２３】
なお、端子Ｓ３は基準電位面と接続されており、イヤフォンマイク５０および撮像装置６０のいずれが装着されたときも、端子Ｔ４は、端子Ｓ４を介して基準電位面と接続される。
【００２４】
ＣＰＵ２４は、具体的には図６に示すフロー図を処理する。電源スイッチ（図示せず）が投入されると、ステップＳ１で電話モードを設定し、ステップＳ３で電話処理を行なう。電話モードの設定によってレギュレータ３２がオフされるとともに、スイッチＳＷ１がコーデック２０側に接続される。ステップＳ３の電話処理では、ダイヤル操作または着信操作がない限り着信待ち状態を維持するが、ダイヤル操作または着信操作があると、相手方との通信プロトコルを確立し、通話可能状態に移行する。
【００２５】
着信待ち状態のときは、カメラモードの選択操作があったかどうかをステップＳ５で判断する。そして、選択操作がなければステップＳ３に戻るが、選択操作があると、ステップＳ７でカメラモードを設定するとともに、タイマ２４ａを起動する。カメラモードの設定によって、レギュレータ３２がオンされるとともに、スイッチＳＷ１がＣＰＵ２４側に接続される。タイマ２４ａが起動されると、ステップＳ１１で端子Ｓ２から識別コードが入力されたかどうかを判断し、ステップＳ１３でタイマ２４ａにタイムオーバが生じたかどうかを判断する。
【００２６】
タイムオーバとなる前に識別コードが入力されると、撮像装置６０が４端子コネクタ３４に装着されているとみなして、ステップＳ１５でカメラ処理を行なう。具体的には、撮像装置６０から入力される画像信号に基づいて被写体のスルー画像をディスプレイ２８に表示し、撮影操作があったときは、その時点の被写体の静止画像をメモリ２６に保存する。スルー画像表示状態では、電話モードの選択操作があったかどうかをステップＳ１７で判断する。そして、選択操作がなければステップＳ１５に戻ってカメラ処理を繰り返すが、選択操作があるとステップＳ１に戻って電話モードに移行する。
【００２７】
一方、識別コードが入力されないうちにタイムオーバが生じると、４端子コネクタ３４に装着されているのはイヤフォンマイク５０であるとみなして、ステップＳ１９で“撮像装置を装着してください”とのメッセージをディスプレイ２８に表示する。メッセージの表示が完了すると、ステップＳ１に戻る。このため、識別コードが入力されないときは、電話モードに復帰すべく、レギュレータ３２をオフし、スイッチＳＷ１をコーデック２０側に接続する。
【００２８】
以上の説明から分かるように、４端子コネクタ３４には、撮像装置６０およびイヤフォンマイク５０が選択的に装着される。ここで、撮像装置６０は、電源の供給を必要としかつ起動時に識別コードを出力する装置であり、イヤフォンマイク５０は、電源の供給を必要としない装置である。撮像装置６０を使用するカメラモードの選択が操作キー３０によって受け付けられると、ＣＰＵ２４はレギュレータ３２をオンし、４端子コネクタ３４を通して識別コードが入力されたかどうかを判別する。そして、識別コードが入力されればカメラ処理を行なうが、識別コードが入力されなければ、レギュレータ３２をオフするとともに、電話処理に移行する。一方、イヤフォンマイク５０を使用する電話モードの選択が操作キー３０によって受け付けられると、ＣＰＵ２４はレギュレータをオフするとともに、電話処理を行なう。
【００２９】
識別コードは撮像装置６０から出力されるため、識別コードが入力されなければ、４端子コネクタ３４には何も装着されていないか、イヤフォンマイク４０または５０が装着されているとみなすことができる。このようなとき、レギュレータ３２がＣＰＵ２４によってオフされる。
【００３０】
４端子コネクタ３４は、ＤＤＩポケット系，ＫＤＤＩ系およびＮＴＴ系のいずれもほぼ同じ形状をしており、この実施例の携帯通信端末１０に対応していないＮＴＴ系のイヤフォンマイク４０が４端子コネクタ３４に装着される可能性がある。このとき、レギュレータ３２の電源がイヤフォンマイク４０に供給されかつスイッチＳＷ２が押下されると、レギュレータ３２またはイヤフォンマイク４０が破損してしまう。かかる問題を考慮して、この実施例では、識別コードが入力されていないときにレギュレータ３２をオフするようにしている。こうすることで、レギュレータ３２またはイヤフォンマイク４０の破損を防止することができる。
【図面の簡単な説明】
【図１】この発明の一実施例を示すブロック図である。
【図２】イヤフォンマイクの一例を示す図解図である。
【図３】イヤフォンマイクの他の一例を示す図解図である。
【図４】撮像装置の一例を示す図解図である。
【図５】カメラ処理部の構成を示すブロック図である。
【図６】図１実施例の動作の一部を示すフロー図である。
【符号の説明】
１０…携帯通信端末
１４…ＲＦ回路
１６…モデム
１８…ＴＤＭＡ回路
２０…コーデック
２４…ＣＰＵ
２８…ディスプレイ
３０…操作キー
３２…レギュレータ
３４…４端子コネクタ
４０，５０…イヤフォンマイク
６０…撮像装置
【図１】
0003851078.tif 000002
【図２】
0003851078.tif 000003
【図３】
0003851078.tif 000004
【図４】
0003851078.tif 000005
【図５】
0003851078.tif 000006
【図６】
0003851078.tif 000007